(57)【特許請求の範囲】
【請求項１】
二つのハンガーに引っ掛け可能に設けられて前記二つのハンガーを所定の間隔を有する状態で保持することで洗濯物を広げて干すことができるようにした洗濯物速乾用具であって、
前記二つのハンガーに引っ掛け可能に設けられた一対の引っ掛け部と、該一対の引っ掛け部に連結されて該一対の引っ掛け部を押し広げ可能に設けられた押し広げ部とを備え、
該押し広げ部は、平坦に広がった状態と、折り畳まれた状態とに変移可能に連結された二つの連結部と、該二つの連結部を平坦に広げた状態に保持することで前記二つのハンガーを所定の間隔を有する状態で保持する状態保持部とを備え、前記一対の引っ掛け部は、それぞれ両端が曲折した折曲部を備え、一方の端部の折曲部が前記ハンガーの上部に引っ掛けられ、他方の端部の折曲部が前記ハンガーの底辺に引っ掛けられることを特徴とする洗濯物速乾用具。
【請求項２】
二つの連結部はヒンジによって連結されていることを特徴とする請求項１に記載の洗濯物速乾用具。
【請求項３】
二つのハンガーの吊り下げ部を結束する結束チューブを設けたことを特徴とする請求項１又は２に記載の洗濯物速乾用具。
【発明の詳細な説明】
【技術分野】
【０００１】
二つのハンガーを所定の間隔を有する状態で保持することによって、洗濯物を広げて干すことができるようにした洗濯物速乾用具に関する。
【背景技術】
【０００２】
周知のように、洗濯物は広げて干すことによって、洗濯物の内側に空気が入って通り抜けることが出来るために洗濯物を速く乾燥させることができる。
【０００３】
洗濯物を短時間で乾かすようにしたスーパーマルチハンガーが提案されている（特許文献１参照）。この特許文献１のハンガーでは、洗濯物を掛ける傾斜部の下部に、洗濯物の内側に接する略楕円形状のガード棒を備え、このガード棒が洗濯物の内側を外方へ押し広げることで、洗濯物の内側同士がくっ付かなくすることによって、洗濯物の内側に空気が入って通り抜けることが出来るようにし、洗濯物を短時間で乾かすように構成されている。
【先行技術文献】
【特許文献】
【０００４】
【特許文献１】実用新案登録第３１４６９３７号公報
【発明の概要】
【発明が解決しようとする課題】
【０００５】
しかし、特許文献１のハンガーでは、洗濯物が掛けられる傾斜部の形状が固定されているために、形状の異なった多数種の洗濯物を乾かすように利用するには不向きであった。一方、形状の異なった多数種の洗濯物を乾かすためには、洗濯物の形状に合わせた形状の傾斜部を備えた複数種のハンガーを準備しなければならずに、製造コストの面からも好ましくはなかった。
【０００６】
また、特許文献１のハンガーを衣服の保存用に利用する場合には、衣服が広がって吊るされるために、例えば、洋服ダンス内においては利用することが出来ず、干し物用に限定して利用するしか無かった。
【０００７】
本発明は、上記現状に鑑みてなされたもので、様々な形状の洗濯物に合わせて、様々な形状のハンガーを自由に選択して着脱自在にハンガーに取り付けられることによって、様々な形状の洗濯物を適切な形状のハンガーを用いて良好に干すことができ、しかも、衣服の保管用に一般的に用いられているハンガー自体を干し物用に利用できるようにすることによって、ハンガーを衣服保管用の一般的ハンガーとして、又、干し物用のハンガーとして二つの用途に利用できるようにした洗濯物速乾用具を提供することにある。
【課題を解決するための手段】
【０００８】
前記問題点を解決するために、第１の発明の洗濯物速乾用具は、二つのハンガーに引っ掛け可能に設けられて前記二つのハンガーを所定の間隔を有する状態で保持することで洗濯物を広げて干すことができるようにした洗濯物速乾用具であって、前記二つのハンガーに引っ掛け可能に設けられた一対の引っ掛け部と、該一対の引っ掛け部に連結されて該一対の引っ掛け部を押し広げ可能に設けられた押し広げ部とを備え、該押し広げ部は、平坦に広がった状態と、折り畳まれた状態とに変移可能に連結された二つの連結部と、該二つの連結部を平坦に広げた状態に保持することで前記二つのハンガーを所定の間隔を有する状態で保持する状態保持部とを備え、前記一対の引っ掛け部は、それぞれ両端が曲折した折曲部を備え、一方の端部の折曲部が前記ハンガーの上部に引っ掛けられ、他方の端部の折曲部が前記ハンガーの底辺に引っ掛けられることに特徴を有する。
【０００９】
また、第２の発明の洗濯物速乾用具は、請求項１に記載の洗濯物速乾用具において、二つの連結部はヒンジによって連結されていることに特徴を有する。
【００１０】
また、第３の発明の洗濯物速乾用具は、請求項１又は２に記載の洗濯物速乾用具において、二つのハンガーの吊り下げ部を結束する結束チューブを設けたことに特徴を有する。
【発明の効果】
【００１１】
第１の発明によれば、押し広げ部が折り畳まれた状態の二つのハンガーに一つの洗濯物を掛けた後、押し広げ部を平坦状に広げることで、二つのハンガーが所定の間隔を有する状態に保持され、洗濯物は広がった状態で干すことが出来る。その結果、広がった洗濯物の内側に空気が入って通り抜けることが出来るために、洗濯物を短時間で乾燥させることができる。
【００１２】
また、第２の発明によれば、二つの連結部はヒンジによって、回転可能に連結される。
【００１３】
また、第３の発明によれば、結束チューブによって、二つのハンガーの吊り下げ部が結束されるので、二つのハンガーの所定の間隔の維持が容易となる。
【図面の簡単な説明】
【００１４】
【図１】洗濯物速乾用具の斜視図である。（第１実施形態）
【図２】洗濯物速乾用具の正面図である。（第１実施形態）
【図３】洗濯物速乾用具の背面図である。（第１実施形態）
【図４】洗濯物速乾用具の側面図である。（第１実施形態）
【図５】洗濯物速乾用具の平面図である。（第１実施形態）
【図６】洗濯物速乾用具の底面図である。（第１実施形態）
【図７】洗濯物速乾用具を広げた状態の正面図である。（第１実施形態）
【図８】洗濯物速乾用具を折り畳む途中の正面図である。（第１実施形態）
【図９】洗濯物速乾用具を折り畳んだ状態の正面図である。（第１実施形態）
【図１０】洗濯物速乾用具の斜視図である。（第２実施形態）
【発明を実施するための形態】
【００１５】
図１〜図６は、本発明の第１実施形態を示す。図１に示すように、洗濯物速乾用具１は、図中、一点鎖線で示す二つのハンガー２、２に引っ掛け可能に設けられて二つのハンガー２、２を所定の間隔を有する状態で保持することで洗濯物を広げて干すことができるようにした構成である。
【００１６】
洗濯物速乾用具１は、二つのハンガー２、２に引っ掛け可能に設けられた一対の引っ掛け部３，３と、一対の引っ掛け部３，３に連結されて一対の引っ掛け部３，３を押し広げ可能に設けられた押し広げ部４を備えている。
【００１７】
一対の引っ掛け部３，３は、それぞれ２本の棒状に形成されると共に、その両端が曲折した形状の曲折部５になって、ハンガー２に引っ掛けできる形状となっている。引っ掛け部３は、適度な強度を有する硬質のプラスチックや、針金等で形成することが出来る。
【００１８】
押し広げ部４は、平坦に広がった状態と、折り畳まれた状態とに変移可能に連結された二つの連結部６，６と、この二つの連結部６，６を平坦に広げた状態に保持することで二つのハンガー２，２を押し広げた状態で保持する状態保持部７とを備えている。
【００１９】
前記各連結部６は、板状に形成され、その一端６Aは前記引っ掛け部３にヒンジ等によって回転可能に連結され、その各他端６Bはヒンジ等によって、互いに回転可能に連結されている。
【００２０】
前記状態保持部７は、板体で構成され、板体の一端７Aは、一方の連結部６の他端６Bに固定され、その他端７Bはヒンジを超えて他方の連結部６側へ張り出すように形成されて、他方の連結部６の他端６B側に当接可能に設けられている。
【００２１】
押し広げ部４が以上のように構成されることで、図７に示すように、二つの連結部６，６が平坦状に広がった状態から、図８に示すように、二つの連結部６，６が折り畳まれながら、図９に示すように、二つの連結部６，６が折り畳まれた状態に変移することが出来る一方、図７に示すように、二つの連結部６，６は、平坦状に広がった状態において、状態保持部によって逆方向へ折り畳まれるのが阻止されることで、押し広げ部４は広がった状態が保持されるものである。尚、図１に示すように、二つのハンガー２，２の上部に位置する吊り下げ部２ａ，２ａを、結束チューブ８で結束することによって、二つのハンガーの所定の間隔の維持が容易となる。
【００２２】
次に、動作について説明する。図９に示すように、洗濯物速乾用具１を閉じた状態において、二つの引っ掛け部３，３の上下の曲折部５，５を二つのハンガー２，２に引っ掛けるようにして、洗濯物速乾用具１を二つのハンガー２，２に取り付ける。
【００２３】
次に、図８に示すように、押し広げ部４を広げ、図７に示すように、押し広げ部４の連結部６，６が平坦状に広がった状態においては、状態保持部７の他端７Bが他方の連結部６に当接することによって、二つの連結部６，６は平坦状に広がった状態に保持される。この状態においては、図１に示すように、二つのハンガー２，２の底辺２ｂ，２ｂは、所定の間隔を有する広がった状態で保持される。
【００２４】
以上のように、押し広げ部４が折り畳まれた状態の二つのハンガー２，２に、一つの洗濯物を掛けた後、押し広げ部４を平坦状に広げることで、二つのハンガー２，２の底辺２ｂ，２ｂが所定の間隔を有する広がった状態となり、二つのハンガー２、２が洗濯物の内側に接すると共に、洗濯物の内側を外方へ押し広げるようにして洗濯物を押し広げる。
【００２５】
そして、洗濯物が外方へ押し広げられることによって、洗濯物の内側を空気が通り抜けできるために、洗濯物を短時間で速乾することが出来る。
【００２６】
また、洗濯物速乾用具１は不使用時においては、ハンガー２，２から取り外されて、図９に示すように折り畳まれて保管されることが出来るために、洗濯物速乾用具１の保管用の広いスペースは不要で、洗濯物速乾用具１は狭いスペースに保管することができる。
【００２７】
また、以上のように、引っ掛け部３，３はハンガー２，２に引っ掛けられるようにして、ハンガー２，２に取り付けられる構成であるために、洗濯物の種類や形状に合わせて、適切なハンガー２，２を自由に選択し、洗濯物速乾用具１は選択したハンガー２，２に取り付けられて利用されることが出来る。
【００２８】
そして、ハンガー２，２から洗濯物速乾具１を取り外した後においては、ハンガー２，２は衣服を吊るして衣服の保管用として洋服ダンス等内において、一般にハンガーとして利用することが出来る。
【００２９】
図１０は、本発明の第２実施形態を示す。この第２実施形態の特徴は、第１実施形態の各引っ掛け部３を、その長手方向中央において板状に形成すると共に中央に孔を開けた構成にした点にある。このように、各引っ掛け部３を板状に形成することによって、引っ掛け部３の強度を第１実施形態の引っ掛け部に比較して高めることが出来る。
【産業上の利用可能性】
【００３０】
本発明の洗濯物速乾用具は、二つのハンガーを用いて洗濯物を広げて干すための道具として使用される。
【符号の説明】
【００３１】
１  洗濯物速乾用具
２  ハンガー
３  引っ掛け部
４  押し広げ部
６  連結部
７  状態保持部
８  結束チューブ
【図１】
0005485943.tif 000002
【図２】
0005485943.tif 000003
【図３】
0005485943.tif 000004
【図４】
0005485943.tif 000005
【図５】
0005485943.tif 000006
【図６】
0005485943.tif 000007
【図７】
0005485943.tif 000008
【図８】
0005485943.tif 000009
【図９】
0005485943.tif 000010
【図１０】
0005485943.tif 000011